(57)【要約】【課題】共通のリモコンで遠隔操作が可能な複数の電子機器が近接して存在する場合でも、個別の遠隔操作を容易に行うことが可能な電子機器、プロジェクタ、電子機器の制御方法、及び電子機器システムを提供する。【解決手段】複数のプロジェクタ１を備えたプロジェクタシステム１００において、ユーザは、プロジェクタ１毎に異なる識別情報を設定することにより、各プロジェクタ１の電源のオン及びオフをリモコン４０で個別に切り換えることができる。具体的には、リモコン４０の電源キーを操作した後に、設定された識別情報に対応する数字キーを操作することにより、特定のプロジェクタ１のみを対象として、電源のオンとオフとを切り換えることができる。【選択図】図１
2009253718.tif 000002
【特許請求の範囲】
【請求項１】
リモコンによる遠隔操作が可能な電子機器であって、
前記リモコンから、操作内容を指示する第１の操作信号及び操作対象を指定する第２の操作信号を受信する操作信号受信部と、
複数の電子機器の中から当該電子機器を識別するための識別情報を記憶する記憶部と、
前記操作信号受信部が受信した前記第２の操作信号が、前記記憶部に記憶されている前記識別情報に対応した操作信号であるか否かを判定する判定部と、
前記操作信号受信部が、前記第１の操作信号と前記第２の操作信号とを所定の順序で連続して受信し、前記判定部が、前記第２の操作信号が前記識別情報に対応した操作信号であると判定した場合に、前記第１の操作信号に基づく制御を行う制御部と、
を備えたことを特徴とする電子機器。
【請求項２】
請求項１に記載の電子機器であって、
前記識別情報を設定する識別情報設定部をさらに備えたことを特徴とする電子機器。
【請求項３】
請求項１又は２に記載の電子機器であって、
前記記憶部は、複数の電子機器の中から当該電子機器を識別するための前記識別情報とともに、他の電子機器と共通の共有情報を記憶しており、
前記判定部は、前記第２の操作信号が前記識別情報及び前記共有情報のいずれかに対応した操作信号であるか否かを判定し、
前記制御部は、前記第２の操作信号が前記識別情報及び前記共有情報のいずれかに対応した操作信号であると前記判定部が判定した場合に、前記第１の操作信号に基づく制御を行うことを特徴とする電子機器。
【請求項４】
請求項１〜３のいずれか１項に記載の電子機器であって、
前記制御部は、前記第１の操作信号及び前記第２の操作信号のうち、一方の操作信号を受信してから所定の時間内に他方の操作信号を受信した場合に、前記第１の操作信号に基づく制御を行うことを特徴とする電子機器。
【請求項５】
請求項１〜４のいずれか１項に記載の電子機器であって、
前記第１の操作信号は、電源のオン及びオフの切り換えを指示する操作信号であり、
前記制御部は、前記第２の操作信号が前記識別情報に対応した操作信号であると前記判定部が判定した場合に、前記電源のオンとオフとを切り換えることを特徴とする電子機器。
【請求項６】
リモコンによる遠隔操作が可能なプロジェクタであって、
光源から射出された光を変調して画像を形成し、当該画像を投写する画像投写部と、
前記リモコンから、操作内容を指示する第１の操作信号及び操作対象を指定する第２の操作信号を受信する操作信号受信部と、
複数のプロジェクタの中から当該プロジェクタを識別するための識別情報を記憶する記憶部と、
前記操作信号受信部が受信した前記第２の操作信号が、前記記憶部に記憶されている前記識別情報に対応した操作信号であるか否かを判定する判定部と、
前記操作信号受信部が、前記第１の操作信号と前記第２の操作信号とを所定の順序で連続して受信し、前記判定部が、前記第２の操作信号が前記識別情報に対応した操作信号であると判定した場合に、前記第１の操作信号に基づく制御を行う制御部と、
を備えたことを特徴とするプロジェクタ。
【請求項７】
請求項６に記載のプロジェクタであって、
前記第１の操作信号は、前記光源の点灯及び消灯の切り換えを指示する操作信号であり、
前記制御部は、前記第２の操作信号が前記識別情報に対応した操作信号であると前記判定部が判定した場合に、前記光源の点灯及び消灯を切り換えることを特徴とするプロジェクタ。
【請求項８】
リモコンによる遠隔操作が可能な電子機器の制御方法であって、
複数の電子機器の中から当該電子機器を識別するための識別情報を記憶する識別情報記憶ステップと、
前記リモコンから、操作内容を指示する第１の操作信号と、操作対象を指定する第２の操作信号とを所定の順序で連続して受信する受信ステップと、
前記第２の操作信号を受信した後に、前記第２の操作信号が前記識別情報記憶ステップで記憶された前記識別情報に対応した操作信号であるか否かを判定する判定ステップと、
前記第２の操作信号が前記識別情報に対応した操作信号であると前記判定ステップで判定された場合に、前記第１の操作信号に基づく制御を行う制御ステップと、
を備えたことを特徴とする電子機器の制御方法。
【請求項９】
リモコンと、前記リモコンによる遠隔操作が可能な複数の電子機器とを備えた電子機器システムであって、
前記リモコンは、
操作内容を指示するための操作指示キー、及び操作対象を指定するための複数の操作対象指定キーを含む複数の操作キーと、
前記操作キーになされた操作に基づいて操作信号を送信する送信部と、
を備え、
前記電子機器は、
前記リモコンから、前記操作指示キーが操作された際に送信される第１の操作信号と、前記操作対象指定キーが操作された際に送信される第２の操作信号とを受信する操作信号受信部と、
複数の電子機器の中から当該電子機器を識別するための識別情報を記憶する記憶部と、
前記操作信号受信部が受信した前記第２の操作信号が、前記記憶部に記憶されている前記識別情報に対応した操作信号であるか否かを判定する判定部と、
前記操作信号受信部が、前記第１の操作信号と前記第２の操作信号とを所定の順序で連続して受信し、前記判定部が、前記第２の操作信号が前記識別情報に対応した操作信号であると判定した場合に、前記第１の操作信号に基づく制御を行う制御部と、
を備えたことを特徴とする電子機器システム。
【発明の詳細な説明】
【技術分野】
【０００１】
本発明は、リモコンによる遠隔操作が可能な電子機器、プロジェクタ、電子機器の制御方法、及び電子機器システムに関する。
【背景技術】
【０００２】
画像を投写するプロジェクタを同一の室内に複数設置すれば、それぞれが投写する画像を１つの壁面に並べて表示させたり、それぞれを異なる壁面に表示させたりすることが可能となる。このように、同一の機能を有する複数の電子機器を所定の空間内で利用する場合において、これら複数の電子機器が、共通のリモコンによって遠隔操作が可能な構成であれば、１つのリモコンで複数の電子機器の操作が可能となり、利便性が向上する。
【０００３】
ところが、上記のような構成では、電子機器を個別に遠隔操作したい場合でも、複数の電子機器がリモコンに反応して動作してしまう事態が生じうる。このため、特許文献１には、複数のプロジェクタをケーブルで接続し、１つのプロジェクタが受信した操作信号を、ケーブルを介して他のプロジェクタに伝達する構成とすることにより、個別の操作を可能とするプロジェクタ（投写型画像表示装置）が提案されている。
【０００４】
【特許文献１】特開２００５−３３８６０４号公報
【発明の開示】
【発明が解決しようとする課題】
【０００５】
しかしながら、特許文献１に記載のプロジェクタでは、ケーブルを介した通信を行うためのインターフェイスが必要となるため、回路が複雑になってしまううえ、ケーブルを接続する作業が必要となるため、事前の準備が煩雑になってしまうという問題を有している。また、プロジェクタがケーブルで接続されるため、各プロジェクタの配置（レイアウト）に制限が加わったり、部屋の美観を損ねたりしてしまう恐れがある。
【課題を解決するための手段】
【０００６】
本発明は、上述の課題の少なくとも一部を解決するためになされたものであり、以下の形態又は適用例として実現することが可能である。
【０００７】
［適用例１］本適用例に係る電子機器は、リモコンによる遠隔操作が可能な電子機器であって、前記リモコンから、操作内容を指示する第１の操作信号及び操作対象を指定する第２の操作信号を受信する操作信号受信部と、複数の電子機器の中から当該電子機器を識別するための識別情報を記憶する記憶部と、前記操作信号受信部が受信した前記第２の操作信号が、前記記憶部に記憶されている前記識別情報に対応した操作信号であるか否かを判定する判定部と、前記操作信号受信部が、前記第１の操作信号と前記第２の操作信号とを所定の順序で連続して受信し、前記判定部が、前記第２の操作信号が前記識別情報に対応した操作信号であると判定した場合に、前記第１の操作信号に基づく制御を行う制御部と、を備えたことを特徴とする。
【０００８】
この電子機器によれば、操作信号受信部が、操作内容を指示する第１の操作信号と、操作対象を指定する第２の操作信号とを所定の順序で連続して受信し、受信した第２の操作信号が、記憶部に記憶されている識別情報に対応した操作信号であると判定部が判定した場合に、制御部が第１の操作信号に基づく制御を行う。つまり、ユーザは、操作内容を指示するための操作に加えて、操作対象としてこの電子機器を指定すべく、識別情報に対応する第２の操作信号を送信するための操作を行うだけで、この電子機器を個別に遠隔操作することが可能となる。このため、共通のリモコンで操作可能な複数の電子機器が近接して存在する場合でも、これらを個別に遠隔操作することが容易になる。
【０００９】
［適用例２］上記適用例に係る電子機器において、前記識別情報を設定する識別情報設定部をさらに備えることが望ましい。
【００１０】
この電子機器によれば、識別情報を設定する識別情報設定部を備えているため、ユーザは、識別情報を使用形態等に応じて設定することが可能となり、利便性が向上する。例えば、複数の電子機器のそれぞれに異なる識別情報を設定して、これらを個別に遠隔操作する態様と、複数の電子機器に共通の識別情報を設定して、複数の電子機器を一括して遠隔操作する態様とを、使用形態等に応じて使い分けることが可能となる。
【００１１】
［適用例３］上記適用例に係る電子機器において、前記記憶部は、複数の電子機器の中から当該電子機器を識別するための前記識別情報とともに、他の電子機器と共通の共有情報を記憶しており、前記判定部は、前記第２の操作信号が前記識別情報及び前記共有情報のいずれかに対応した操作信号であるか否かを判定し、前記制御部は、前記第２の操作信号が前記識別情報及び前記共有情報のいずれかに対応した操作信号であると前記判定部が判定した場合に、前記第１の操作信号に基づく制御を行うことが望ましい。
【００１２】
この電子機器によれば、記憶部に識別情報と共有情報とが記憶されており、受信した第２の操作信号が、識別情報及び共有情報のいずれかに対応した操作信号である場合に、制御部が第１の操作信号に基づく制御を行うため、ユーザは、識別情報と共有情報とを使用状況等に応じて使い分けることが可能となる。例えば、識別情報に対応する第２の操作信号を送信すれば、複数の電子機器を個別に遠隔操作することが可能となり、共有情報に対応する第２の操作信号を送信すれば、複数の電子機器を一括して遠隔操作することが可能となる。
【００１３】
［適用例４］上記適用例に係る電子機器において、前記制御部は、前記第１の操作信号及び前記第２の操作信号のうち、一方の操作信号を受信してから所定の時間内に他方の操作信号を受信した場合に、前記第１の操作信号に基づく制御を行うことが望ましい。
【００１４】
この電子機器によれば、第１の操作信号及び第２の操作信号のうち、一方の操作信号を受信してから所定の時間内に他方の操作信号を受信した場合に、第１の操作信号に基づく制御を行うため、一方の操作信号のみ受信した状態のまま放置された場合等に生じうる誤操作を防止することが可能となる。
【００１５】
［適用例５］上記適用例に係る電子機器において、前記第１の操作信号は、電源のオン及びオフの切り換えを指示する操作信号であり、前記制御部は、前記第２の操作信号が前記識別情報に対応した操作信号であると前記判定部が判定した場合に、前記電源のオンとオフとを切り換えることが望ましい。
【００１６】
この電子機器によれば、第１の操作信号が電源のオン及びオフの切り換えを指示する操作信号であり、制御部は、第２の操作信号が識別情報に対応した操作信号である場合に、電源のオンとオフとを切り換えるため、操作対象外の電子機器の電源が不用意にオン又はオフに切り換わってしまう事態を抑制することが可能となる。
【００１７】
［適用例６］本適用例に係るプロジェクタは、リモコンによる遠隔操作が可能なプロジェクタであって、光源から射出された光を変調して画像を形成し、当該画像を投写する画像投写部と、前記リモコンから、操作内容を指示する第１の操作信号及び操作対象を指定する第２の操作信号を受信する操作信号受信部と、複数のプロジェクタの中から当該プロジェクタを識別するための識別情報を記憶する記憶部と、前記操作信号受信部が受信した前記第２の操作信号が、前記記憶部に記憶されている前記識別情報に対応した操作信号であるか否かを判定する判定部と、前記操作信号受信部が、前記第１の操作信号と前記第２の操作信号とを所定の順序で連続して受信し、前記判定部が、前記第２の操作信号が前記識別情報に対応した操作信号であると判定した場合に、前記第１の操作信号に基づく制御を行う制御部と、を備えたことを特徴とする。
【００１８】
このプロジェクタによれば、操作信号受信部が、操作内容を指示する第１の操作信号と、操作対象を指定する第２の操作信号とを所定の順序で連続して受信し、受信した第２の操作信号が、記憶部に記憶されている識別情報に対応した操作信号であると判定部が判定した場合に、制御部が第１の操作信号に基づく制御を行う。つまり、ユーザは、操作内容を指示するための操作に加えて、操作対象としてこのプロジェクタを指定すべく、識別情報に対応する第２の操作信号を送信するための操作を行うだけで、このプロジェクタを個別に遠隔操作することが可能となる。このため、共通のリモコンで操作可能な複数のプロジェクタが近接して存在する場合でも、これらを個別に遠隔操作することが容易になる。
【００１９】
［適用例７］上記適用例に係るプロジェクタにおいて、前記第１の操作信号は、前記光源の点灯及び消灯の切り換えを指示する操作信号であり、前記制御部は、前記第２の操作信号が前記識別情報に対応した操作信号であると前記判定部が判定した場合に、前記光源の点灯及び消灯を切り換えることが望ましい。
【００２０】
このプロジェクタによれば、第１の操作信号が、光源の点灯及び消灯の切り換えを指示する操作信号であり、制御部は、第２の操作信号が識別情報に対応した操作信号である場合に、光源の点灯及び消灯を切り換えるため、操作対象外のプロジェクタの光源が不用意に点灯又は消灯に切り換わってしまう事態を抑制することが可能となる。
【００２１】
［適用例８］本適用例に係る電子機器の制御方法は、リモコンによる遠隔操作が可能な電子機器の制御方法であって、複数の電子機器の中から当該電子機器を識別するための識別情報を記憶する識別情報記憶ステップと、前記リモコンから、操作内容を指示する第１の操作信号と、操作対象を指定する第２の操作信号とを所定の順序で連続して受信する受信ステップと、前記第２の操作信号を受信した後に、前記第２の操作信号が前記識別情報記憶ステップで記憶された前記識別情報に対応した操作信号であるか否かを判定する判定ステップと、前記第２の操作信号が前記識別情報に対応した操作信号であると前記判定ステップで判定された場合に、前記第１の操作信号に基づく制御を行う制御ステップと、を備えたことを特徴とする。
【００２２】
この電子機器の制御方法によれば、操作内容を指示する第１の操作信号と、操作対象を指定する第２の操作信号とをリモコンから受信し、受信した第２の操作信号が、記憶部に記憶されている識別情報に対応した操作信号であると判定した場合に、第１の操作信号に基づく制御を行う。つまり、ユーザは、操作内容を指示するための操作に加えて、操作対象としてこの電子機器を指定すべく、識別情報に対応する第２の操作信号を送信するための操作を行うだけで、この電子機器を個別に遠隔操作することが可能となる。このため、共通のリモコンで操作可能な複数の電子機器が近接して存在する場合でも、これらを個別に遠隔操作することが容易になる。
【００２３】
［適用例９］本適用例に係る電子機器システムは、リモコンと、前記リモコンによる遠隔操作が可能な複数の電子機器とを備えた電子機器システムであって、前記リモコンは、操作内容を指示するための操作指示キー、及び操作対象を指定するための複数の操作対象指定キーを含む複数の操作キーと、前記操作キーになされた操作に基づいて操作信号を送信する送信部と、を備え、前記電子機器は、前記リモコンから、前記操作指示キーが操作された際に送信される第１の操作信号と、前記操作対象指定キーが操作された際に送信される第２の操作信号とを受信する操作信号受信部と、複数の電子機器の中から当該電子機器を識別するための識別情報を記憶する記憶部と、前記操作信号受信部が受信した前記第２の操作信号が、前記記憶部に記憶されている前記識別情報に対応した操作信号であるか否かを判定する判定部と、前記操作信号受信部が、前記第１の操作信号と前記第２の操作信号とを所定の順序で連続して受信し、前記判定部が、前記第２の操作信号が前記識別情報に対応した操作信号であると判定した場合に、前記第１の操作信号に基づく制御を行う制御部と、を備えたことを特徴とする。
【００２４】
この電子機器システムによれば、操作信号受信部が、操作内容を指示する第１の操作信号と、操作対象を指定する第２の操作信号とを所定の順序で連続してリモコンから受信し、受信した第２の操作信号が、記憶部に記憶されている識別情報に対応した操作信号であると判定部が判定した場合に、制御部が第１の操作信号に基づく制御を行う。つまり、ユーザは、操作内容を指示するための操作指示キーの操作に加えて、識別情報に対応する第２の操作信号を送信するための操作対象指定キーの操作を行うだけで、電子機器を個別に遠隔操作することが可能となる。このため、共通のリモコンで操作可能な複数の電子機器が近接して存在する場合でも、これらを個別に遠隔操作することが容易になる。
【００２５】
また、上述した電子機器及びその制御方法が電子機器に備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、電子機器の内部記憶装置（ＲＡＭやＲＯＭ等のメモリ）、及び外部記憶装置等、前記コンピュータが読み取り可能な種々の媒体を利用することができる。
【発明を実施するための最良の形態】
【００２６】
（第１実施形態）
以下、スクリーンや壁面等に画像を投写するプロジェクタ、及びこのプロジェクタを複数備えたプロジェクタシステムについて説明する。
【００２７】
図１は、第１実施形態のプロジェクタシステムを示す斜視図である。
図１に示すように、プロジェクタシステム１００は、所定の空間内（例えば、同一の室内）に近接して設置された複数のプロジェクタ１（プロジェクタ１ａ，１ｂ，１ｃ）と、これらのプロジェクタ１を遠隔操作するためのリモコン４０とを備えている。
【００２８】
各プロジェクタ１は、同一のハードウェア構成及び同一のソフトウェア構成を有しており、その本体は、筐体２に収容されている。筐体２の上面２ｔには、ユーザにより入力操作が行われる操作パネル２８が設けられ、筐体２の前面２ｆには、画像を投写する投写レンズ１３と、リモコン４０から送信される赤外線の操作信号を受信するための操作信号受信部２９とが備えられている。各プロジェクタ１には、図示しない画像出力装置（パーソナルコンピュータ等）から画像情報（画像信号）が入力され、各プロジェクタ１は、入力される画像情報に応じた画像（以降、「入力画像」という。）を投写レンズ１３から投写する。
【００２９】
図２は、プロジェクタ１の概略構成を示すブロック図であり、図３は、操作パネル２８を示す平面図である。
図２に示すように、プロジェクタ１は、画像投写部１０、制御部２０、記憶部２１、入力端子群２２、入力ソース選択部２３、画像処理部２４、ＯＳＤ処理部２５、電源回路２６、光源制御部２７、操作パネル２８、操作信号受信部２９等を備えている。
【００３０】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して外部のスクリーンＳＣ等に表示する。
【００３１】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３によって拡大投写される。
【００３３】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０には、時間の計測を行う計時部としてのタイマ２０ａが備えられている。
【００３４】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。本実施形態の記憶部２１には、プロジェクタシステム１００において各プロジェクタ１を識別するための識別情報と、すべてのプロジェクタ１に共通の共有情報とが記憶されている。識別情報及び共有情報は、共に１桁の数字からなり、識別情報は、ユーザによって「１」〜「９」の任意の数字に設定（変更）することが可能になっている。一方、共有情報は「０」で固定され、ユーザによる変更ができないようになっている。なお、本明細書では、共有情報と識別情報とを区別しているが、共有情報を、識別情報の一形態、即ちすべてのプロジェクタ１に共通の識別情報と捉えることも可能である。
【００３５】
入力端子群２２は、ビデオ再生装置やパーソナルコンピュータ等、図示しない外部の画像供給装置から、各種形式の画像情報を入力可能な複数の入力端子２２ａを備えている。各入力端子２２ａに入力された画像情報は、入力ソース選択部２３に供給される。
【００３６】
入力ソース選択部２３は、複数の入力端子２２ａのうち、制御部２０の指示に基づく１つの入力端子２２ａを選択し、この入力端子２２ａに入力される画像情報を画像処理部２４に出力する。ユーザが、操作パネル２８やリモコン４０に備わる入力切換キー３６，４６（図３、図４参照）を操作して所望の入力端子２２ａを指定すると、制御部２０は、この入力端子２２ａに入力されている画像情報が画像処理部２４に出力されるよう、入力ソース選択部２３に指示をする。
【００３７】
画像処理部２４は、入力ソース選択部２３から入力される各種形式の画像情報を、液晶ライトバルブ１２Ｒ，１２Ｇ，１２Ｂの各画素の階調を表す画像情報、即ち各画素に印加する駆動電圧を規定するための画像情報に変換する。さらに、制御部２０の指示に基づいて、変換した画像情報に対して、明るさ、コントラスト、シャープネス、色合い等を調整するための画質調整処理等を行い、処理後の画像情報をＯＳＤ処理部２５に出力する。
【００３８】
ＯＳＤ処理部２５は、制御部２０の指示に基づいて、メニュー画像やメッセージ画像等のＯＳＤ（オンスクリーンディスプレイ）画像を、入力画像上に重畳するための処理を行う。ＯＳＤ処理部２５は、図示しないＯＳＤメモリを備えており、ＯＳＤ画像を形成するための図形やフォント等を表すＯＳＤ画像情報を記憶している。制御部２０が、ＯＳＤ画像の重畳を指示すると、ＯＳＤ処理部２５は、必要なＯＳＤ画像情報をＯＳＤメモリから読み出し、入力画像の所定の位置にＯＳＤ画像が重畳されるように、画像処理部２４から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２５は、画像処理部２４から入力される画像情報を、そのままライトバルブ駆動部１４に出力する。
【００３９】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４０】
電源回路２６には、外部からＡＣ１００Ｖ等の商用電源が供給される。電源回路２６は、商用電源（交流電源）を所定の電圧の直流電源に変換して、プロジェクタ１の各部に電力を供給する。また、電源回路２６は、制御部２０の指示に基づいて、画像の投写に必要な電力（動作電力）を各部に供給する状態（電源オンの状態）と、動作電力の供給を停止して、電源をオンにするための操作を待機する状態（スタンバイ状態）とを切り換えることができる。
【００４１】
光源制御部２７は、制御部２０の指示に基づいて、光源１１に対する電力の供給と停止とを制御し、光源１１の点灯及び消灯を切り換える。
【００４２】
操作パネル２８は、ユーザからの入力操作を受け付ける入力操作部に相当するものであり、ユーザがプロジェクタ１に対して各種指示を行うための複数の操作キーを備えている。図３に示すように、操作パネル２８に備わる操作キーには、電源のオン及びオフの切り換えを指示するための電源キー３１、各種設定を行うためのメニュー画像（トップメニュー）を重畳表示させるメニューキー３２、メニュー画像上での項目の選択等に用いられる方向キー（上下左右に対応する４つの操作キー）３３、メニュー画像において選択された項目を決定するための決定キー３４、メニュー画像が表示された状態において操作の取り消し等を行うための取消キー３５、入力ソースを切り換えるための入力切換キー３６が含まれている。ユーザが操作パネル２８の各種操作キーを操作すると、操作パネル２８は、操作された操作キーに応じた操作信号を制御部２０に出力する。
【００４３】
操作信号受信部２９は、リモコン４０から赤外線の点滅信号として送信される操作信号を制御部２０に伝達するものであり、受光装置やデコーダ（いずれも図示せず）等で構成されている。操作信号受信部２９は、リモコン４０から送信される操作信号を受光装置によって受光し、これを電気信号に変換した後、デコーダによって復調して制御部２０に出力する。
【００４４】
次に、プロジェクタ１を遠隔操作するためのリモコン４０について説明する。
図４は、リモコン４０の平面図であり、図５は、リモコン４０の概略構成を示すブロック図である。
図４に示すように、リモコン４０は、筐体４０ａで覆われた構成を有しており、その表面には、ユーザの入力操作を受け付ける複数の操作キーが配列されている。リモコン４０に備わる操作キーには、操作パネル２８の操作キー３１〜３６とそれぞれ同一の用途に用いられる電源キー４１、メニューキー４２、方向キー４３、決定キー４４、取消キー４５、及び入力切換キー４６に加えて、「０」〜「９」の各数字に対応する１０個の数字キー４７が含まれている。
【００４５】
図５に示すように、リモコン４０は、上記の操作キー４１〜４７の他に、制御部５０、記憶部５１、キー検出部５２、送信部５３を筐体４０ａの内部に備えている。
【００４６】
制御部５０は、ＣＰＵ等からなり、記憶部５１に記憶されている制御プログラムに従って動作することによりリモコン４０の動作を統括制御する。記憶部５１は、ＲＯＭ又はＲＡＭにより構成され、リモコン４０の動作を制御するための制御プログラムや各種データ等を記憶する。
【００４７】
キー検出部５２は、各操作キー４１〜４７が操作（押下）されたことを検出して、操作された操作キーに対応する検出信号を制御部５０に出力する。制御部５０は、キー検出部５２から検出信号が入力されると、この検出信号に基づいて、操作された操作キーに対応する操作信号を生成して送信部５３に出力する。
【００４８】
送信部５３は、赤外線通信用のエンコーダや赤外線発光装置（いずれも図示せず）等で構成され、制御部５０から入力される操作信号をエンコーダで変調し、赤外線発光装置により赤外線の点滅信号として外部に送信する。
【００４９】
次に、プロジェクタ１の動作について説明する。
プロジェクタ１に商用電源が供給されると、電源回路２６は、制御部２０、記憶部２１、操作パネル２８、操作信号受信部２９に電力（スタンバイ電力）の供給を行い、制御部２０は、この電力供給を受けて、制御プログラムに従った動作を開始する。商用電源が供給された直後には、プロジェクタ１は、スタンバイ状態（電源オフの状態ともいう）であり、光源１１を消灯させた状態を維持している。そして、ユーザが、操作パネル２８或いはリモコン４０に対して電源をオンにするための操作（オン操作）を行うと、制御部２０は、電源回路２６に指示をして各部に動作電力を供給させ、プロジェクタ１を電源オンの状態にするとともに、光源制御部２７に指示をして光源１１を点灯させる。つまり、スタンバイ状態は、電源オンの状態に移行するための操作を待機する状態であり、電源オンの状態に比べて電力消費は僅かである。
【００５０】
電源オンの状態に移行して光源１１が点灯すると、プロジェクタ１は、画像情報に基づく画像の投写を開始する。また、電源オンの状態では、プロジェクタ１は、操作パネル２８やリモコン４０に対する操作を待機しており、ユーザによってなされた操作に応じた処理を実行する。そして、電源をオフにするための操作（オフ操作）がなされた場合には、プロジェクタ１は、光源１１を消灯させて、スタンバイ状態に移行する。
【００５１】
ユーザは、操作パネル２８の電源キー３１を操作することにより、電源のオン及びオフの切り換え、即ち電源オンの状態とスタンバイ状態との切り換えを行うことができる。一方、リモコン４０を用いて電源のオンとオフとを切り換える際には、電源キー４１の操作に引き続いて、記憶部２１に記憶されている識別情報又は共有情報に対応する数字キー４７を操作する必要がある。
【００５２】
前述したように、識別情報は、「１」〜「９」の任意の数字に設定可能になっており、ユーザは、操作パネル２８やリモコン４０に対して所定の操作を行うことによって識別情報を設定することができる。具体的には、プロジェクタ１が電源オンの状態において、ユーザによりメニューキー３２，４２が操作されると、制御部２０は、ＯＳＤ処理部２５に指示をして、図示しないメニュー画像（トップメニュー）を入力画像上に重畳させる。その後、ユーザが、トップメニューに含まれる複数の項目の中から識別情報を設定するための項目を選択すると、制御部２０は、ＯＳＤ処理部２５に指示をして、トップメニューの重畳を終了させるとともに、識別情報を設定するためのメニュー画像（識別情報設定メニューＭ）を入力画像上に重畳表示させる（図６参照）。
【００５３】
図６は、識別情報設定メニューＭを示す説明図である。
図６に示すように、識別情報設定メニューＭには、「１」〜「９」の９つの数字が横一列に配列されており、このうち、その時点で識別情報として設定されている１つの数字（本図では、「１」）が選択された状態（反転表示の状態）になっている。ユーザは、方向キー３３，４３を操作することによって他の数字を選択することが可能であり、所望の数字を選択した後で決定キー３４，４４を操作すると、制御部２０は、ＯＳＤ処理部２５に識別情報設定メニューＭの重畳を終了させるとともに、選択された数字を識別情報として記憶部２１に記憶する。これにより、識別情報が設定される。
【００５４】
本実施形態のように、複数のプロジェクタ１（プロジェクタ１ａ，１ｂ，１ｃ）を備えたプロジェクタシステム１００（図１参照）において、ユーザは、プロジェクタ１毎に異なる識別情報を設定することにより、各プロジェクタ１の電源のオン及びオフをリモコン４０で個別に切り換えることができる。具体的には、リモコン４０の電源キー４１を操作した後に、設定された識別情報に対応する数字キー４７（「１」〜「９」のいずれか１つ）を操作することにより、特定のプロジェクタ１のみを対象として、電源のオンとオフとを切り換えることができる。また、すべてのプロジェクタ１において、共有情報は「０」で固定されているため、ユーザは、電源キー４１に引き続いて数字キー４７の「０」を操作することにより、リモコン４０の操作信号を受信可能な位置にあるすべてのプロジェクタ１に対して、電源のオンとオフとを切り換えることができる。
【００５５】
図７は、リモコン４０の操作キーが操作された際のプロジェクタ１の動作を説明するフローチャートである。スタンバイ状態又は電源オンの状態において、操作信号受信部２９がリモコン４０から送信された操作信号を受信し、これが制御部２０に出力されると、プロジェクタ１は、図７に示すフローに従って動作する。
【００５６】
図７に示すように、ステップＳ１０１では、制御部２０は、入力された操作信号に基づいて、操作された操作キーが電源キー４１であるか否かを判断する。そして、電源キー４１が操作された場合にはステップＳ１０４に移行し、電源キー４１以外の操作キーが操作された場合にはステップＳ１０２に移行する。
【００５７】
電源キー４１以外の操作キーが操作されてステップＳ１０２に移行した場合には、制御部２０は、プロジェクタ１がスタンバイ状態であるか電源オンの状態であるかを判断する。そして、電源オンの状態である場合には、操作された操作キーに応じた処理を実行し（ステップＳ１０３）、フローを終了する。一方、プロジェクタ１がスタンバイ状態である場合には、制御部２０は、入力された操作信号を無視してフローを終了する。つまり、スタンバイ状態で電源キー４１以外の操作キーが操作された場合には、操作キーに応じた処理は実行されない。なお、図７では詳細を省略しているが、電源オンの状態であっても、数字キー４７が操作された場合や、メニュー画像を表示していない状態で方向キー４３、決定キー４４、又は取消キー４５が操作された場合等、実行すべき処理がない場合には、入力された操作信号を無視してフローを終了する。
【００５８】
ここで、制御部２０のＲＡＭには、電源がオンかオフか、即ちプロジェクタ１がスタンバイ状態か電源オンの状態かを示すフラグが記憶されており、制御部２０は、電源のオンとオフとを切り換える度にフラグの内容を更新するようになっている。このため、制御部２０は、プロジェクタ１がスタンバイ状態にあるのか電源オン状態かにあるのかをこのフラグを参照することによって判別することができる。
【００５９】
ステップＳ１０１において電源キー４１が操作されてステップＳ１０４に移行した場合には、制御部２０は、電源キー４１の操作に基づく操作信号を受信してからの経過時間を計測すべく、タイマ２０ａによる計時を開始する。
【００６０】
ステップＳ１０５では、制御部２０は、操作信号受信部２９からの操作信号の入力の有無に基づいて、操作信号受信部２９が新たな操作信号を受信したか否か、即ち電源キー４１の操作に連続してリモコン４０のいずれかの操作キーが操作されたか否かを判断する。そして、操作信号受信部２９が新たな操作信号を受信した場合には、ステップＳ１０７に移行し、新たな操作信号を受信していない場合には、ステップＳ１０６に移行する。
【００６１】
新たな操作信号が受信されずにステップＳ１０６に移行した場合には、制御部２０は、タイマ２０ａの計時結果に基づいて、電源キー４１の操作に基づく操作信号を受信してから所定時間（例えば、３秒）が経過したか否かを判断する。そして、所定時間が経過していない場合には、ステップＳ１０５に戻って新たな操作信号の受信を待機する。一方、操作信号を受信してから所定時間が経過した場合には、タイマ２０ａの計時を停止して、フローを終了する。つまり、電源キー４１の操作に基づく操作信号を受信してから所定時間が経過する前に新たな操作信号を受信しない場合には、電源キー４１の操作は無効となり、電源のオン及びオフの切り換えは実行されない。
【００６２】
所定時間内に新たな操作信号が受信されてステップＳ１０７に移行した場合には、制御部２０は、タイマ２０ａによる計時を停止するとともに、新たに受信した操作信号が、記憶部２１に記憶されている識別情報及び共有情報のいずれかを表す操作信号であるか否かを判定する。そして、操作信号が識別情報又は共有情報を表す信号の場合、即ち電源キー４１に続いて操作された操作キーが、識別情報に対応する数字キー４７（「１」〜「９」の数字キー４７のうち、識別情報として設定された数字に対応する数字キー４７）、又は共有情報に対応する数字キー４７（「０」）である場合には、ステップＳ１０８に移行する。一方、操作信号が識別情報又は共有情報を表す信号ではない場合には、なされた操作（電源キー４１の操作、及びこれに続く操作キーの操作）を無効としてフローを終了する。
【００６３】
電源キー４１に引き続いて識別情報又は共有情報に対応する数字キー４７が操作されてステップＳ１０８に移行した場合には、制御部２０は、プロジェクタ１がスタンバイ状態であるか電源オンの状態であるかを判断する。そして、スタンバイ状態の場合にはステップＳ１０９に移行し、電源オンの状態の場合にはステップＳ１１１に移行する。
【００６４】
プロジェクタ１がスタンバイ状態であってステップＳ１０９に移行した場合には、制御部２０は、電源回路２６に指示をして各部への動作電力の供給を開始させて、プロジェクタ１を電源オンの状態に移行させる。続くステップＳ１１０では、制御部２０は、光源制御部２７に指示をして光源１１を点灯させる等の必要な初期動作を行い、画像投写部１０からの画像の投写が可能な状態としてフローを終了する。この結果、入力端子２２ａに入力される画像情報に応じた画像がスクリーンＳＣ等に投写される。
【００６５】
一方、プロジェクタ１が電源オンの状態であってステップＳ１１１に移行した場合には、制御部２０は、光源制御部２７に指示をして光源１１を消灯させる等の必要な終了動作を行い、続くステップＳ１１２では、電源回路２６に指示をして動作電力の供給を停止させ、プロジェクタ１をスタンバイ状態に移行させてフローを終了する。
【００６６】
本実施形態のプロジェクタ１は、上記のように動作するため、ユーザがリモコン４０を用いて電源のオン及びオフの切り換え、即ちスタンバイ状態と電源オン状態との切り換えを指示する際には、電源キー４１の操作に引き続いて数字キー４７を操作する必要がある。そして、電源キー４１の後に「１」〜「９」の数字キー４７を操作した場合には、この数字を識別情報として記憶しているプロジェクタ１のみを対象として電源のオン及びオフの切り換えが可能であり、電源キー４１の後に「０」の数字キーを操作した場合には、操作信号を受信可能なすべてのプロジェクタ１を対象として電源のオン及びオフの切り換えを行うことができる。
【００６７】
以上説明したように、本実施形態のプロジェクタ１によれば、以下の効果を得ることができる。
【００６８】
（１）本実施形態のプロジェクタ１によれば、操作信号受信部２９が、電源のオン及びオフの切り換えを指示する操作信号を受信した後に、操作対象を指定する操作信号を連続して受信し、この操作信号が記憶部２１に記憶されている識別情報に対応した操作信号である場合に、制御部２０が電源のオン及びオフの切り換えを実行する。つまり、電源キー４１の操作に加えて、識別情報に対応する数字キー４７の操作を行って操作対象を指定するだけで、電源のオン及びオフの切り換えを個別に遠隔操作することが可能となる。このため、共通のリモコン４０で遠隔操作が可能な複数のプロジェクタ１が近接して存在する場合でも、各プロジェクタ１の電源のオン及びオフを個別に切り換えることが容易になる。
【００６９】
（２）本実施形態のプロジェクタ１によれば、識別情報を「１」〜「９」の任意の数字に設定可能になっているため、ユーザは、識別情報を使用形態等に応じて設定することが可能となり、利便性が向上する。例えば、プロジェクタシステム１００において、３つのプロジェクタ１ａ，１ｂ，１ｃをそれぞれ単独で使用する頻度が高い場合には、プロジェクタ１毎に異なる識別情報を設定すればよい。また、２つのプロジェクタ１ａ，１ｂを常に同時に使用する場合には、プロジェクタ１ａ，１ｂに共通の識別情報を設定し、他のプロジェクタ１ｃに異なる識別情報を設定することにより、２つのプロジェクタ１ａ，１ｂの電源のオン及びオフを、一括で切り換えることが可能となる。
【００７０】
（３）本実施形態のプロジェクタ１によれば、記憶部２１に識別情報と共有情報とが記憶されており、ステップＳ１０５で受信した操作信号が、識別情報及び共有情報のいずれかに対応した操作信号である場合に、制御部２０が電源のオン及びオフの切り換えを行うため、ユーザは、識別情報と共有情報とを使用状況等に応じて使い分けることが可能となる。つまり、電源キー４１に続いて識別情報に対応する数字キー４７を操作すれば、複数のプロジェクタ１を個別に操作することが可能となり、電源キー４１に続いて共有情報に対応する数字キー４７を操作すれば、複数のプロジェクタ１の電源のオン及びオフを一括で切り換えることが可能となる。
【００７１】
（４）本実施形態のプロジェクタ１によれば、電源キー４１の操作に基づく操作信号を受信してから所定の時間内に次の操作信号を受信しなかった場合に、電源キー４１の操作を無効にするため、電源キー４１が操作された状態で放置された場合等に生じうる誤操作を防止することが可能となる。
【００７２】
（５）本実施形態のプロジェクタ１によれば、電源キー４１の操作、即ち電源のオンとオフとを切り換えるため操作を行う場合に、識別情報又は共有情報に対応する数字キー４７の操作が必要となるため、プロジェクタ１の電源が不用意にオン又はオフに切り換わってしまう事態を抑制することが可能となる。また、電源キー４１の操作は、光源１１の点灯及び消灯を切り換えるための操作でもあるため、光源１１が不用意に点灯又は消灯に切り換わってしまう事態が抑制される。この結果、短時間に点灯と消灯とが繰り返されることによる光源１１の寿命の低下を抑制することが可能となる。
【００７３】
なお、本実施形態では、プロジェクタ１が、電子機器に相当し、プロジェクタシステム１００が、電子機器システムに相当する。また、電源キー４１が操作された際にリモコン４０から送信される操作信号が、操作内容を指示する第１の操作信号に相当し、数字キー４７が操作された際にリモコン４０から送信される操作信号が、操作対象を指定する第２の操作信号に相当する。また、ステップＳ１０７を実行して、受信した操作信号が識別情報に対応した操作信号であるか否かを判定する際の制御部２０が、判定部に相当する。また、識別情報設定メニューＭを表示して、ユーザに識別情報を設定するための操作を行わせる制御部２０及びＯＳＤ処理部２５が、識別情報設定部に相当する。また、リモコン４０の電源キー４１が、操作指示キーに相当し、リモコン４０の数字キー４７が、操作対象指定キーに相当する。
【００７４】
（第２実施形態）
以下、第２の実施形態のプロジェクタについて説明する。
上記第１実施形態では、電源キー４１の後に数字キー４７を操作することによって、電源のオン及びオフを切り換える対象（プロジェクタ１）を指定していたが、本実施形態では、電源キー４１の操作の前に数字キー４７を操作することによって操作対象を指定するようになっている。これ以外の構成については、上記第１実施形態と同一である。
【００７５】
図８は、本実施形態において、リモコン４０の操作キーが操作された際のプロジェクタ１の動作を説明するフローチャートである。スタンバイ状態又は電源オンの状態において、操作信号受信部２９がリモコン４０から送信された操作信号を受信し、これが制御部２０に出力されると、プロジェクタ１は、図８に示すフローに従って動作する。
【００７６】
図８に示すように、ステップＳ２０１では、制御部２０は、受信した操作信号が、記憶部２１に記憶されている識別情報及び共有情報のいずれかを表す信号であるか否かを判定する。そして、操作信号が識別情報又は共有情報を表す信号の場合、即ち操作された操作キーが、識別情報に対応する数字キー４７、又は共有情報に対応する数字キー４７である場合には、ステップＳ２０４に移行する。一方、操作信号が識別情報又は共有情報を表す信号ではない場合には、ステップＳ２０２に移行する。
【００７７】
識別情報又は共有情報に対応する数字キー４７以外の操作キーが操作されてステップＳ２０２に移行した場合には、制御部２０は、プロジェクタ１がスタンバイ状態であるか電源オンの状態であるかを判断する。そして、電源オンの状態である場合には、操作された操作キーに応じた処理を実行し（ステップＳ２０３）、フローを終了する。一方、スタンバイ状態である場合には、制御部２０は、入力された操作信号を無視してフローを終了する。なお、図８では詳細を省略しているが、電源オンの状態であっても、数字キー４７（識別情報又は共有情報に対応する数字キー４７以外の数字キー４７）が操作された場合や、メニュー画像を表示していない状態で方向キー４３、決定キー４４、又は取消キー４５が操作された場合等、実行すべき処理がない場合には、入力された操作信号を無視してフローを終了する。
【００７８】
ステップＳ２０１において識別情報又は共有情報に対応する数字キー４７が操作されてステップＳ２０４に移行した場合には、制御部２０は、この数字キー４７の操作に基づく操作信号を受信してからの経過時間を計測すべく、タイマ２０ａによる計時を開始する。
【００７９】
ステップＳ２０５では、制御部２０は、操作信号受信部２９からの操作信号の入力の有無に基づいて、操作信号受信部２９が新たな操作信号を受信したか否か、即ち識別情報又は共有情報に対応する数字キー４７の操作に連続してリモコン４０のいずれかの操作キーが操作されたか否かを判断する。そして、操作信号受信部２９が新たな操作信号を受信した場合には、ステップＳ２０７に移行し、新たな操作信号を受信していない場合には、ステップＳ２０６に移行する。
【００８０】
新たな操作信号が受信されずにステップＳ２０６に移行した場合には、制御部２０は、タイマ２０ａの計時結果に基づいて、数字キー４７の操作に基づく操作信号を受信してから所定時間（例えば、３秒）が経過したか否かを判断する。そして、所定時間が経過していない場合には、ステップＳ２０５に戻って新たな操作信号の受信を待機する。一方、操作信号を受信してから所定時間が経過した場合には、タイマ２０ａの計時を停止して、フローを終了する。つまり、数字キー４７の操作に基づく操作信号を受信してから所定時間が経過する前に新たな操作信号を受信しない場合には、この数字キー４７の操作は無効となる。
【００８１】
所定時間内に新たな操作信号が受信されてステップＳ２０７に移行した場合には、制御部２０は、タイマ２０ａによる計時を停止するとともに、入力された操作信号に基づいて、操作された操作キーが電源キー４１であるか否かを判断する。そして、電源キー４１が操作された場合にはステップＳ２０８に移行し、電源キー４１以外の操作キーが操作された場合には、フローを終了する。
【００８２】
識別情報又は共有情報に対応する数字キー４７に引き続いて電源キー４１が操作されてステップＳ２０８に移行した場合には、制御部２０は、プロジェクタ１がスタンバイ状態であるか電源オンの状態であるかを判断する。そして、上記第１実施形態と同様、プロジェクタ１がスタンバイ状態の場合には、制御部２０は、プロジェクタ１を電源オンの状態とした後に光源１１を点灯させ（ステップＳ２０９，Ｓ２１０）、フローを終了する。一方、プロジェクタ１が電源オンの状態の場合には、光源１１を消灯させた後にプロジェクタ１をスタンバイ状態とし（ステップＳ２１１，Ｓ２１２）、フローを終了する。
【００８３】
本実施形態のプロジェクタ１は、上記のように動作するため、ユーザがリモコン４０を用いて電源のオン及びオフの切り換え、即ちスタンバイ状態と電源オン状態との切り換えを指示する際には、電源キー４１を操作する前に数字キー４７を操作する必要がある。そして、電源キー４１の前に「１」〜「９」の数字キー４７を操作した場合には、この数字を識別情報として記憶しているプロジェクタ１のみを対象として電源のオン及びオフの切り換えが可能であり、電源キー４１の前に「０」の数字キーを操作した場合には、操作信号を受信可能なすべてのプロジェクタ１を対象として電源のオン及びオフの切り換えを行うことができる。
【００８４】
以上説明したように、本実施形態のプロジェクタ１によれば、上記第１実施形態と同様の効果を得ることができる。ただし、本実施形態では、数字キー４７の操作に基づく操作信号を受信してから所定の時間内に次の操作信号を受信しなかった場合に、数字キー４７の操作を無効にするため、数字キー４７が操作された状態で放置された場合等に生じうる誤操作を防止することが可能となる。
【００８５】
なお、本実施形態では、ステップＳ２０１を実行して、受信した操作信号が識別情報に対応した操作信号であるか否かを判定する際の制御部２０が、判定部に相当する。
【００８６】
（変形例）
また、上記実施形態は、以下のように変更してもよい。
【００８７】
上記実施形態では、電源キー４１を操作する際、数字キー４７によって操作対象となるプロジェクタ１を指定するようにしているが、電源キー４１以外の操作キー（例えば、メニューキー４２や入力切換キー４６等）についても、数字キー４７によって操作対象を指定できるようにしてもよい。ただし、メニュー画像を表示している際に用いられる方向キー４３、決定キー４４、及び取消キー４５については、ユーザの利便性が損なわれることがないよう、単独で、即ち数字キー４７を操作することなく使用できるようにすることが望ましい。
【００８８】
上記実施形態では、「１」〜「９」の９つの数字キー４７を、それぞれ「１」〜「９」の９つの識別情報に対応させ、数字キー４７によって操作対象を指定する構成を示しているが、操作対象を指定するための操作キーは数字キー４７に限定されない。また、操作対象を指定するための操作キーの数、即ち識別情報の数も９つに限定されない。例えば、入力切換キー４６、メニューキー４２、取消キー４５の３つの操作キーをそれぞれ３つの識別情報に対応させ、電源キー４１の操作に引き続いてこれら３つの操作キーのいずれかを操作することにより、操作対象を指定するようにしてもよい。また、４つの方向キー４３をそれぞれ４つの識別情報に対応させ、この４つの方向キー４３で操作対象を指定するようにしてもよい。
【００８９】
上記第１実施形態において、電源オンの状態でリモコン４０の電源キー４１が操作された場合に、数字キー４７の入力を促すメッセージ画像（ＯＳＤ画像）を表示するようにすれば、数字キー４７の操作のし忘れが抑制され、利便性が向上する。
【００９０】
上記実施形態では、リモコン４０とプロジェクタ１とが赤外線により通信を行う態様を示しているが、赤外線以外の光通信であってもよいし、電波や超音波等を用いた通信方式を採用してもよい。
【００９１】
上記実施形態では、光変調装置として３つの液晶ライトバルブ１２Ｒ，１２Ｇ，１２Ｂを用いた３板式のプロジェクタについて説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００９２】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出される光を変調する微小ミラーアレイデバイス等を用いることもできる。
【００９３】
上記実施形態では、光源１１は、放電型の光源ランプ１１ａによって構成されているが、ＬＥＤ（Light Emitting Diode：発光ダイオード）光源等の固体光源や、その他の光源を用いることもできる。
【００９４】
上記実施形態では、電子機器の例としてプロジェクタ１について説明しているが、リモコン４０による遠隔操作が可能な電子機器であれば、他の電子機器に適用することも可能である。この中でも、上記実施形態のように、光源（バックライトを含む）から射出された光を変調して画像を形成する画像表示装置（例えば、液晶表示装置やプロジェクタ等）に適用した場合には、光源１１が不用意に点灯したり消灯したりする頻度を低減できるため、光源１１の点灯に伴う電力の消費や光源１１の消耗が抑制されるとともに、短時間に点灯と消灯とが繰り返されることによる光源１１の寿命の低下を抑制することができる。
【図面の簡単な説明】
【００９５】
【図１】プロジェクタシステムを示す斜視図。
【図２】プロジェクタの概略構成を示すブロック図。
【図３】操作パネルを示す平面図。
【図４】リモコンの平面図。
【図５】リモコンの概略構成を示すブロック図。
【図６】識別情報設定メニューを示す説明図。
【図７】第１実施形態において、リモコンの操作キーが操作された際のプロジェクタの動作を説明するフローチャート。
【図８】第２実施形態において、リモコンの操作キーが操作された際のプロジェクタの動作を説明するフローチャート。
【符号の説明】
【００９６】
１，１ａ，１ｂ，１ｃ…プロジェクタ、２…筐体、１０…画像投写部、１１…光源、１２Ｒ，１２Ｇ，１２Ｂ…液晶ライトバルブ、１３…投写レンズ、１４…ライトバルブ駆動部、２０…制御部、２０ａ…タイマ、２１…記憶部、２２…入力端子群、２２ａ…入力端子、２３…入力ソース選択部、２４…画像処理部、２５…ＯＳＤ処理部、２６…電源回路、２７…光源制御部、２８…操作パネル、２９…操作信号受信部、３１…電源キー、３２…メニューキー、３３…方向キー、３４…決定キー、３５…取消キー、３６…入力切換キー、４０…リモコン、４０ａ…筐体、４１…電源キー、４２…メニューキー、４３…方向キー、４４…決定キー、４５…取消キー、４６…入力切換キー、４７…数字キー、５０…制御部、５１…記憶部、５２…キー検出部、５３…送信部、１００…プロジェクタシステム、Ｍ…識別情報設定メニュー。
【図１】
2009253718.tif 000003
【図２】
2009253718.tif 000004
【図３】
2009253718.tif 000005
【図４】
2009253718.tif 000006
【図５】
2009253718.tif 000007
【図６】
2009253718.tif 000008
【図７】
2009253718.tif 000009
【図８】
2009253718.tif 000010